(57)【要約】      （修正有）【課題】媒体の意図しない流出を阻止するパッケージユニットを提供する。【解決手段】パッケージユニット２が領域ごとに互いに離間することによって閉じられた室１２を形成し、かつ前記室１２を囲繞する、外周縁部１６によって制限された結合領域１４で互いに接続されている２つの互いに接して配置された平坦な要素６、８を有する。その際に前記室１２がその中に貯蔵された媒体４の制御された投与のために、テーパ部１８に開口部を作るために前記テーパ部１８を切り取る目標破断線２４が設けられている前記結合領域１４から分離可能の分離部分２２へ延伸するテーパ部１８を有する。その際に分離部分２２が、外周縁部１６へ向かって前記分離部分２２を覆う結合領域１４の保護部分２８から前記分離部分２２を分離する前記外周縁部１６と離間して前記結合領域１４に挿入された材料脆弱部２６によって制限されていることが考慮されている。【選択図】図１
2009196711.tif 000002
【特許請求の範囲】
【請求項１】
領域ごとに互いに離間することによって閉じられた室（１２）を形成し、かつ前記室（１２）を囲繞する、外周縁部（１６）によって制限された結合領域（１４）で互いに接続されている２つの互いに接して配置された平坦な要素（６、８）を備えたパッケージユニット（２）であって、前記室（１２）がその中に貯蔵された媒体（４）の制御された投与のために、テーパ部（１８）に開口部を作るために前記テーパ部（１８）を切り取る目標破断線（２４）が設けられている前記結合領域（１４）から分離可能の分離部分（２２）へ延伸するテーパ部（１８）を有するパッケージユニットにおいて、
分離部分（２２）が、外周縁部（１６）へ向かって前記分離部分（２２）を覆う結合領域（１４）の保護部分（２８）から前記分離部分（２２）を分離する前記外周縁部（１６）と離間して前記結合領域（１４）に挿入された材料脆弱部（２６）によって制限されていることを特徴とするパッケージユニット。
【請求項２】
保護部分（２８）が目標破断線（２４）の延長部分に前記目標破断線（２４）よりも増大した曲げ強度を有することを特徴とする請求項１に記載のパッケージユニット。
【請求項３】
目標破断線（２４）が材料脆弱部（２６）によって制限されていることを特徴とする請求項１または２に記載のパッケージユニット。
【請求項４】
結合領域（１４）が目標破断線（２４）の延長部分に少なくとも１つの安定化手段（３６）を有することを特徴とする請求項１〜３のいずれか一項に記載のパッケージユニット。
【請求項５】
安定化手段（３６）が深絞り成形領域（３８）によって形成されていることを特徴とする請求項４に記載のパッケージユニット。
【請求項６】
深絞り成形領域（３８）がＵ字形に分離部分（２２）周りに延伸することを特徴とする請求項５に記載のパッケージユニット。
【請求項７】
材料脆弱部（２６）が互いに対向するテーパ部（１８）側で目標破断線（２４）に対して横方向に延伸する２つの脆弱部分（３０）を有することを特徴とする請求項１〜６のいずれか一項に記載のパッケージユニット。
【請求項８】
脆弱部分（３０）がそれぞれ両側で外周縁部（１６）まで延伸することを特徴とする請求項７に記載のパッケージユニット。
【請求項９】
材料脆弱部（２６）がＵ字形にテーパ部（１８）周りに延伸し、かつ脆弱部分（３０）が互いに対向する材料脆弱部（２６）の部分によって形成されていることを特徴とする請求項７に記載のパッケージユニット。
【請求項１０】
Ｕ字形の材料脆弱部（２６）が両側で外周縁部（１６）まで延伸することを特徴とする請求項９に記載のパッケージユニット。
【請求項１１】
Ｕ字形の材料脆弱部（２６）が２つの外周縁部（１６）と離間する端部（３２）を有することを特徴とする請求項９に記載のパッケージユニット。
【請求項１２】
材料脆弱部（２６）がその全長にわたって切れ込みによって形成されていることを特徴とする請求項１〜１１のいずれか一項に記載のパッケージユニット。
【請求項１３】
切れ込みの全長にわたって複数の接着箇所（４０）が設けられていることを特徴とする請求項１２に記載のパッケージユニット。
【請求項１４】
材料脆弱部が穿孔（４２）によって形成されていることを特徴とする請求項１〜１１のいずれか一項に記載のパッケージユニット。
【請求項１５】
目標破断線（２４）が刻み目によって形成されていることを特徴とする請求項１〜１４のいずれか一項に記載のパッケージユニット。
【請求項１６】
分離部分（２２）および保護部分（２８）に付着する引きはがし可能のフィルム（４４）が設けられていることを特徴とする請求項１〜１５のいずれか一項に記載のパッケージユニット。
【発明の詳細な説明】
【技術分野】
【０００１】
本発明は、請求項１のプリアンブル記載の、たとえば医療、化粧、化学または食品工業の分野からの媒体の包装および分配のためのパッケージユニットに関する。このパッケージユニットは、たとえばフィルム、シェル状またはキャップ状のプラスチック部品によってもしくはフィルムと固体プラスチック部品の組合せによって形成された２つの互いに接して配置された平坦な要素を有する。ここで用語「平坦な」によって、単に前記要素が本質的に一平面上で延伸することを言い表しているが、この要素は特別に平らに形成されている必要はなく、ある程度の輪郭を有してもよい。これら両方の平坦な要素は、領域ごとに互いに離間することによって１つの閉じられた室を形成する。前記室を囲繞する結合領域で前記の平坦な要素が互いに接続されており、前記結合領域は外周縁部によって制限されている。前記室の中に貯蔵された媒体の制御された投与のために、前記室は外部に向かって開放できる前記室と接続された出口路を形成するテーパ部を有する。そのために前記テーパ部は結合領域から分離可能の分離部分へ延伸する。この分離部分はテーパ部を切り取る目標破断線を介してその他の結合領域と接続されており、前記目標破断線はテーパ部に開口部を作るために用いられる。
【背景技術】
【０００２】
ＤＥ２０１０２３４８Ｕ１から別の包装体に保持されたパッケージユニットが知られている。このパッケージユニットは目標破断線を介して互いに接続された室側の部分と分離可能の部分とからなる。パッケージユニットの室を開放するために前記目標破断線が解かれ、かつその際に分離可能の部分が室側の部分から除去され、同時に室と接続されたピペット状のテーパ部が開放される。
【０００３】
この種のパッケージユニットは、補助手段なしの快適な開放と、室内に含まれる媒体の正確な投与とを可能にする。
【０００４】
しかしながらパッケージユニットが容易に開放される形態のために、分離可能の部分が意図せずに室側の部分に対して折り曲げられ、かつその際にピペット状のテーパ部が早目に開放され、かつ媒体がその結果制御されずに流出する危険がある。
【特許文献１】ドイツ連邦共和国実用新案第２０１０２３４８号
【発明の概要】
【発明が解決しようとする課題】
【０００５】
従って本発明の課題は、分類に対応するパッケージユニットにおいて前記欠点を回避し、かつ室を開放する快適な可能性にもかかわらずその中に貯蔵された媒体の意図しない流出を阻止することである。
【課題を解決するための手段】
【０００６】
この課題は、請求項１の特徴を有するパッケージユニットによって解決される。その際に分離部分は、前記分離部分を結合領域の保護部分から分離する外周縁部と離間して結合領域に挿入された材料脆弱部によって制限されている。この保護部分は外周縁部に向かって分離部分を覆う。それによって前記分離部分および目標破断箇所は、早目の意図しない、たとえばパッケージユニットの輸送時または保管時の目標破断箇所の分離と共に室に貯蔵された媒体の流出とを阻止するために誤った力作用に対して遮蔽もしくは安定化することができる。
【０００７】
その際に少なくとも１つの保護部分が目標破断線の延長部分で目標破断線の曲げ強度よりも大きい曲げ強度を有する場合が好適である。この方法により保護部分は分離部分の意図しない折れ曲りに対する目標破断線の安定化に利用される。
【０００８】
そのために目標破断線は、好ましくは材料脆弱部によって制限されており、それによって特に簡単な方法で目標破断線に対する非脆弱保護部分の増大した曲げ強度を保証することができる。
【０００９】
特に結合領域が目標破断線の延長部分に少なくとも１つの安定化手段を有する場合が好適であり、それによって意図しない目標破断線の分離に対する保護をさらに改善することができる。
【００１０】
この安定化手段は、その際に好ましくは結合領域の保護部分に挿入された深絞り成形領域によって形成されている。このような深絞り成形領域によって保護部分をさらに補強することができ、これがその曲げ強度および分離部分の折れ曲りに対する保護を高める。
【００１１】
さらに、深絞り成形領域がＵ字形に分離部分周りに延伸する場合が好適であり、それによって前記領域は特に安定して構成されている。
【００１２】
特に有利な一実施形態において、材料脆弱部は互いに対向するテーパ部側で目標破断箇所に対して横方向に延伸する２つの脆弱部分を有する。それによって目標破断線は両端で保護部分によって覆うことができる。
【００１３】
脆弱部分は、好ましくはそれぞれ両側で外周縁部まで延伸し、それによって少なくとも１つの保護部分は間近に迫った媒体の使用時に完全にその他のパッケージユニットから分離することができる。その際にテーパ部の出口路を外方へ向けて開放するために、ここで目標破断線の分離によって除去できる分離部分が解放される。
【００１４】
それに対する別法として材料脆弱部はＵ字形にテーパ部周りに延伸する。脆弱部分は、その際に材料脆弱部分によって形成されている。この方法により両端で目標破断線を覆う個別的に関係する保護部分を規定することができる。それによってこの個々の保護部分の分離時にパッケージユニットを開放するために、目標破断線の両端を同時に解放することができる。
【００１５】
その際にＵ字形の材料脆弱部が両側で外周縁部まで延伸する場合が好適である。それによって保護部分は完全に除去することができ、それによって目標破断線はパッケージユニットを開放するために特に良好に扱うことができる。
【００１６】
別法の一実施形態において、Ｕ字形の材料脆弱部は２つの外周縁部と離間する端部を有する。それによって一方でパッケージユニットの全ての本質的な部分は開放後でも同じ場所にとどまり、これが少なくとも近似的に完全な処分を容易にする。他方では、その際にパッケージユニットが安定している支持体としてその他の結合領域と向きを逆にした保護部分を利用することを可能にする。それによってパッケージユニットをテーパ部の開放後に本質的に垂直に置くことも可能であり、媒体は室から流出することができない。
【００１７】
さらに、材料脆弱部がその全長にわたり切れ込みによって形成されている場合が好適であり、それによって保護部分から分離領域への外部の力作用の伝達を特に良好に阻止することができ、これがさらに分離部分の誤った破断の危険を低減する。
【００１８】
その際に切れ込みの全長にわたって分離部分からの保護部分の意図しない除去と、そこから生じる目標破断線の露出を阻止するために複数の接着箇所が設けられている場合が有利である。
【００１９】
それに対する別法の一実施形態において、材料脆弱部が穿孔によって形成されており、これがたとえば輸送時に発生し得るようなある程度の力作用でもその分離部分を覆う位置での保護部分の確実な残留を保証する。
【００２０】
特に目標破断線は、好ましくは刻み目または穿孔によって形成されており、それによって分離部分の分離に必要な力を特に正確にあらかじめ規定することができる。
【００２１】
もう１つの実施形態において、分離部分および保護部分に付着する引きはがし可能のフィルムが設けられている。それによって、まず初めにフィルムをその他のパッケージユニットから引き離す必要があり、それに続き保護部分を分離部分から除去し、かつ最後に分離部分を折り曲げることができる。それによってパッケージユニットは簡単確実に作ることができる。
【図面の簡単な説明】
【００２２】
【図１】本発明に係るパッケージユニットの図である。
【図２】図１からの平面ＩＩのパッケージユニットの縦断面図である。
【図３】方向転換された保護部分を備えた図１に記載のパッケージユニットの透視図である。
【図４】安定化手段を備えたパッケージユニットの別法の一実施形態の図である。
【図５】図４からの平面Ｖの別法のパッケージユニットの横断面図である。
【図６】安定化手段の別法の一実施形態による図４に記載のパッケージユニットの上部の図である。
【図７】図６からの平面ＶＩＩの別法の安定化手段の横断面図である。
【図８】別法の材料脆弱部を有する図１に記載のパッケージユニットの図である。
【図９】穿孔として形成された別法の材料脆弱部を有する図１に記載のパッケージユニットの図である。
【図１０】２つの両側で外周縁部まで案内された脆弱部分を有する穿孔として形成された材料脆弱部を有するパッケージユニットの図である。
【図１１】除去された保護部分を有する図１０に記載のパッケージユニットの図である。
【図１２】Ｕ字形にテーパ部周りに延伸し、かつ両側で外周縁部まで達する穿孔として形成された材料脆弱部を有するパッケージユニットの図である。
【図１３】除去された保護部分を有する図１２に記載のパッケージユニットの図である。
【図１４】背面に設けられたフィルムを有する図１に記載のパッケージユニットの背面図である。
【図１５】引きはがされたフィルムを有する図１０からの平面ＸＩのパッケージユニットの縦断面図である。
【発明を実施するための形態】
【００２３】
各図に、本発明の例による実施形態が示されている。
【００２４】
図１および２は、たとえば医療、化粧、化学または食品工業の分野からの流体によって形成された媒体４の収容および分配のためのパッケージユニット２を示す。
【００２５】
パッケージユニット２は、そのために本質的に第１の平坦な要素６と第２の平坦な要素８とから形成されている。これらの平坦な要素６、８は、たとえばプラスチックからフィルムまたは注入部品としてもしくは深絞り部品として製造することができる。
【００２６】
図示した実施形態において第１の平坦な要素６は、特に図２から読み取れるように、媒体４が貯蔵されている第２の平坦な要素８を利用して閉じられた室１２を形成する膨らんだ輪郭１０を有する。
【００２７】
両方の要素６、８は室１２周りに前記要素が互いに接続された結合領域１４を形成する。接続は、その際にたとえば接着、溶接または封緘によって製造することができる。結合領域１４は、外部へ向けてパッケージユニット２全体も含め外周縁部１６によって制限されている。
【００２８】
媒体４の制御された投与のために、室１２と接続された出口路２０を形成するテーパ部１８が室１２に設けられている。媒体４は、この出口路２０を介して室１２から流出することができる。
【００２９】
そのためにテーパ部１８はその他の結合領域１４から分離可能である分離部分２２まで延伸する。その際に分離部分２２に一方でテーパ部１８を切り取る目標破断線２４と、Ｕ字形にテーパ部１８周りに延伸する材料脆弱部２６とが設けられている。その際に、たとえば切れ込みによって形成された材料脆弱部２６は、分離部分２２を外周縁部１６に向けて覆い、かつそれによって保護部分２８として機能する結合領域１４の部分から前記分離部分２２を分離する。
【００３０】
材料脆弱部２６のＵ字形の形成によって、前記材料脆弱部はテーパ部１８の対向側でそれぞれ一端部３２まで延伸する２つの脆弱部分３０を有する。その際に脆弱部分３０は目標破断線２４に対する保護部分２８の増大した曲げ強度を達成するために、両側に向けて目標破断線２４を制限する。
【００３１】
パッケージユニット２の開放のために、図３から読み取れるように、まずそれまで分離部分２２を覆っていた保護部分２８が前記分離部分に対して方向転換される。その際に両方の端部３２によってその位置に設けられ、かつ各端部３２から外周縁部１６へ延伸する２つの折曲部分３４が形成される。
【００３２】
この方法により、ここで目標破断線２４の分離によって除去されまたはテーパ部１８を開放するために折り曲げることができる分離部分２２が解放される。
【００３３】
図示した実施例において両方の平坦な要素６、８の材料特性は、保護部分２８が方向転換後に図３に示した位置にとどまるように指定されている。それによって保護部分は支持体として機能することができ、この支持体を利用してパッケージユニット２が上方へ向かうテーパ部１８によって調整することができ、媒体４は流出することができない。
【００３４】
図４および５は、保護部分２８を補強し、かつそれによってその目標破断線２４の曲げ強度に対する曲げ強度を明らかに高める結合領域１４に付加的な安定化手段３６が設けられているパッケージユニット２のもう１つの実施形態を示す。安定化手段３６はその際にリブ状に第１の平坦な要素６の深絞り成形領域３８によって結合領域１４に形成されており、これは特に図５から読み取ることができる。
【００３５】
図６および７は、安定化手段３６が個別的に第１の平坦な要素６の中に挿入された、Ｕ字形に分離部分２２周りに延伸する深絞り成形領域３８によって形成されたパッケージユニット２のもう１つの実施形態を示す。
【００３６】
図８から読み取れるように、全切れ込み部として形成された材料脆弱部２６に沿って、たとえば後から塗布される接着剤によって形成される複数の接着箇所４０を設けることができる。
【００３７】
しかしまたそれに対する別法として、材料脆弱部２６は、図９に示したように、穿孔４２によって形成してもよい。
【００３８】
穿孔４２としての材料脆弱部２６の形成時に、特に両方の脆弱部分３０を、図１０に示したように、互いに分離して形成し、かつ両側で外周縁部１６まで案内することも可能である。それによって脆弱部分３０により分離して形成された両方の保護部分２８を分離部分２２の解放のために、図１１に示したように、その他の結合領域１４から完全に除去することも可能である。
【００３９】
しかしまたそれに対する別法として、穿孔４２として形成された材料脆弱部２６をＵ字形にテーパ部１８周りに形成することができ、かつその際に図１２および１３に示したように、外周縁部１６まで両側へ案内することができる。この方法により、ここで一体のＵ字形の保護部分２８は完全にその他の結合領域１４から除去することができ、目標破断線２４は両側へ解放される。
【００４０】
図１４および１５は、第２の平坦な要素８によって形成された背面４６に設けられた引きはがし可能のフィルム４４が設けられたパッケージユニット２のもう１つの実施形態を示す。このフィルム４４は、分離部分２２ならびに保護部分２８全体にわたって延伸し、かつ両側で付着する。
【００４１】
パッケージユニット２の開放のために上記のように保護部分２８を分離部分２２から離間できるようにするため、まず初めに図１５に示したようにフィルム４４を引きはがす必要がある。そのためにフィルム４４に付着しない引はがし舌片４８が設けられている。
【図１】
2009196711.tif 000003
【図２】
2009196711.tif 000004
【図３】
2009196711.tif 000005
【図４】
2009196711.tif 000006
【図５】
2009196711.tif 000007
【図６】
2009196711.tif 000008
【図７】
2009196711.tif 000009
【図８】
2009196711.tif 000010
【図９】
2009196711.tif 000011
【図１０】
2009196711.tif 000012
【図１１】
2009196711.tif 000013
【図１２】
2009196711.tif 000014
【図１３】
2009196711.tif 000015
【図１４】
2009196711.tif 000016
【図１５】
2009196711.tif 000017